(57)【特許請求の範囲】
【請求項１】
エレベータ制御装置により登録されたかご呼びの情報を記憶する記憶装置と、
前記記憶装置に記憶された前記かご呼びの情報からかご呼びの状況を示す指標を算出し、算出した前記かご呼びの状況を示す指標に基づいて、エレベータの試運転が実施されたか否かを判定する判定装置と
を備え、
前記判定装置は、前記かご呼びの状況を示す指標として、所定時間内に登録されたかご呼びの回数である頻度を用いることを特徴とするエレベータ保全作業管理装置。
【請求項２】
エレベータ制御装置により登録されたかご呼びの情報を記憶する記憶装置と、
前記記憶装置に記憶された前記かご呼びの情報からかご呼びの状況を示す指標を算出し、算出した前記かご呼びの状況を示す指標に基づいて、エレベータの試運転が実施されたか否かを判定する判定装置と
を備え、
前記判定装置は、前記かご呼びの状況を示す指標として、停止可能階の数に対する所定時間内に登録されたかご呼びにより停止する階の数の割合である網羅度を用いることを特徴とするエレベータ保全作業管理装置。
【請求項３】
エレベータ制御装置により登録されたかご呼びの情報を記憶する記憶装置と、
前記記憶装置に記憶された前記かご呼びの情報からかご呼びの状況を示す指標を算出し、算出した前記かご呼びの状況を示す指標に基づいて、エレベータの試運転が実施されたか否かを判定する判定装置と
を備え、
前記判定装置は、前記かご呼びの状況を示す指標として、所定時間内に登録されたかご呼びのランダム度を用いることを特徴とするエレベータ保全作業管理装置。
【請求項４】
前記記憶装置は、かご内の積載重量を測定する秤装置により測定されたかご内の積載重量の情報をさらに記憶し、
前記判定装置は、前記かご呼びの状況を示す指標と、前記かご内の積載重量の情報とを組み合わせて、前記エレベータの試運転が実施されたか否かを判定することを特徴とする請求項１ないし請求項３の何れか１項に記載のエレベータ保全作業管理装置。
【請求項５】
前記判定装置により前記エレベータの試運転が実施されたと判定された時から次に前記判定装置により前記エレベータの試運転が実施されたと判定される時までの時間を計測する計時装置と、
前記計時装置により計測された時間を保全作業時間として記録する作業時間記録装置と
をさらに備えたことを特徴とする請求項１ないし請求項４の何れか１項に記載のエレベータ保全作業管理装置。
【発明の詳細な説明】
【技術分野】
【０００１】
この発明は、エレベータの保全作業を管理するエレベータ保全作業管理装置に関する。
【背景技術】
【０００２】
従来、エレベータの保全作業を行う作業者により所持される携帯端末装置と、保全作業が行われる際に携帯端末装置との間で通信を行い、携帯端末装置から作業者が行おうとする保全作業についての情報が入力され、入力された保全作業についての情報を記憶する記憶装置とを備え、記録装置に記録された保全作業の情報に基づいて、エレベータの保全作業を管理するエレベータ保全作業管理装置が知られている（例えば、特許文献１参照）。
【先行技術文献】
【特許文献】
【０００３】
【特許文献１】特開２００５−１５４１０６号公報
【発明の概要】
【発明が解決しようとする課題】
【０００４】
しかしながら、保全作業に含まれるエレベータの試運転は携帯端末装置を用いることなく実施することができるので、作業者は、エレベータの試運転についての情報を携帯端末装置により記憶装置に入力することなくエレベータの試運転を行う。これにより、エレベータ保全作業管理装置は、エレベータの試運転が実施されたことを管理することができないという問題点があった。
【０００５】
この発明は、エレベータの試運転が実施されたことをより確実に管理することができるエレベータ保全作業管理装置を提供するものである。
【課題を解決するための手段】
【０００６】
この発明に係るエレベータ保全作業管理装置は、エレベータ制御装置により登録されたかご呼びの情報を記憶する記憶装置と、前記記憶装置に記憶された前記かご呼びの情報からかご呼びの状況を示す指標を算出し、算出した前記かご呼びの状況を示す指標に基づいて、エレベータの試運転が実施されたか否かを判定する判定装置とを備え、前記判定装置は、前記かご呼びの状況を示す指標として、所定時間内に登録されたかご呼びの回数である頻度を用いる。
【発明の効果】
【０００７】
この発明に係るエレベータ保全作業管理装置によれば、エレベータ制御装置により登録されたかご呼びの情報を記憶する記憶装置と、記憶装置に記憶されたかご呼びの情報からかご呼びの状況を示す指標を算出し、算出したかご呼びの状況を示す指標に基づいて、エレベータの試運転が実施されたか否かを判定する判定装置とを備えているので、作業者によりエレベータの試運転についての情報が入力されることなく、エレベータの試運転が実施されたか否かを判定することができる。その結果、エレベータの試運転が実施されたことをより確実に管理することができる。
【図面の簡単な説明】
【０００８】
【図１】この発明の実施の形態１に係るエレベータシステムを示すブロック図である。
【図２】図１のエレベータ保全作業管理装置の動作を示すフローチャートである。
【図３】この発明の実施の形態２に係るエレベータシステムを示すブロック図である。
【図４】図３のエレベータ保全作業管理装置の動作を示すフローチャートである。
【発明を実施するための形態】
【０００９】
以下、この発明の各実施の形態を図に基づいて説明するが、各図において、同一または相当の部材、部位については、同一符号を付して説明する。
【００１０】
実施の形態１．
図１はこの発明の実施の形態１に係るエレベータシステムを示すブロック図である。図において、かご（図示せず）内に設けられたかご操作盤（図示せず）の行先階釦（図示せず）が操作されることにより、操作された行先階釦に対応するかご呼びを登録し、登録したかご呼びに基づいてかごを目的階に移動させるエレベータ制御装置１と、エレベータの保全作業を管理するエレベータ保全作業管理装置２とを備えている。エレベータ制御装置１は、かご呼びを登録した場合に、登録したかご呼びの情報をエレベータ保全作業管理装置２に送信するようになっている。
【００１１】
エレベータ保全作業管理装置２は、エレベータ制御装置１から送信されたかご呼びの情報を受信してエレベータ制御装置１により登録されたかご呼びの情報を記憶するバッファ（記憶装置）２１と、バッファ２１により記憶されたかご呼びの情報からかご呼びの状況を示す指標を算出し、算出したかご呼びの状況を示す指標に基づいて、エレベータの試運転が実施されたか否かを判定する判定装置２２と、時間を計測するタイマ（計時装置）２３と、タイマ２３により計測された時間を保全作業時間として記録する作業時間記録装置（記録装置）２４とを有している。
【００１２】
バッファ２１は、エレベータ制御装置１により登録されたかご呼びの情報を時系列順に記憶する。判定装置２２は、バッファ２１に記憶されたかご呼びの情報を時系列順のまま読み出す。
【００１３】
判定装置２２は、かご呼びの状況を示す指標として、所定時間内に登録されたかご呼びの回数である頻度を用いる。具体的には、判定装置２２は、下記の式（１）を用いて、頻度Ｅ（ｔ）を算出する。
【００１４】
【数１】
0005892858.tif 000002
【００１５】
上記の式（１）では、ｔは現在時刻、Δｔは所定時間、ｎは現在時刻ｔから所定時間Δｔだけ遡った時までの間に登録されたかご呼びの数である。Δｔは、任意に設定可能であるが、この例では、試運転の実施に必要な程度の時間が設定されている。
【００１６】
また、判定装置２２は、かご呼びの状況を示す指標として、停止可能階の数に対する所定時間内に登録されたかご呼びにより停止する階の数の割合である網羅度を用いる。具体的には、判定装置２２は、下記の式（２）を用いて、網羅度Ｃ（ｔ）を算出する。
【００１７】
【数２】
0005892858.tif 000003
【００１８】
上記の式（２）では、ｘ（ｔ）は現在時刻ｔから所定時間Δｔだけ遡った時までの間に登録されたかご呼びにより停止する階を示す数字を時系列順に並べたものであり、この例では、ｘ１、ｘ２、…ｘｎと記載し、数式で記載すると、ｘ（ｔ）＝（ｘ１、ｘ２、…ｘｎ）となる。また、上記の式（２）では、ｉは階を示す数字、つまり、１〜Ｎ（停止可能階の数）の数字である。また、上記の式（２）では、ｆ（ｘ（ｔ）、ｉ）は０または１の値であって、ｉの階に対応するかご呼びが登録されている場合に１となり、ｉの階に対応するかご呼びが登録されていない場合に０となる値である。
【００１９】
また、判定装置２２は、かご呼びの状況を示す指標として、所定時間内に登録されたかご呼びの規則性の程度を示すランダム度を用いる。具体的には、判定装置２２は、下記の式（３）を用いて、ランダム度Ｒ（ｔ）を算出する。
【００２０】
【数３】
0005892858.tif 000004
【００２１】
上記の式（３）では、ｇ（ｘ（ｔ）、ｉ）は、ｘ（ｔ）の中のｉ番目の数字とｉ＋１番目の数字との差の絶対値であり、数式で記載すると、ｇ（ｘ（ｔ）、ｉ）＝｜ｘｉ＋１−ｘｉ｜となる。
【００２２】
判定装置２２には、算出した頻度Ｅ（ｔ）を比較するための閾値ＴＥと、算出した網羅度Ｃ（ｔ）と比較するための閾値ＴＣと、算出したランダム度Ｒ（ｔ）を比較するための閾値ＴＲとが予め設定されている。閾値ＴＥ、閾値ＴＣおよび閾値ＴＲは、任意の値が設定可能である。
【００２３】
判定装置２２は、算出した頻度Ｅ（ｔ）が閾値ＴＥよりも大きく（Ｅ（ｔ）＞ＴＥ）、算出した網羅度Ｃ（ｔ）が閾値ＴＣよりも大きく（Ｃ（ｔ）＞ＴＣ）、かつ、算出したランダム度Ｒ（ｔ）が閾値ＴＲよりも小さい（Ｒ（ｔ）＜ＴＲ）場合に、エレベータの試運転が実施されたと判定する。つまり、判定装置２２は、頻度Ｅ（ｔ）、網羅度Ｃ（ｔ）およびランダム度Ｒ（ｔ）に基づいて、エレベータの試運転が実施されたか否かを判定する。
【００２４】
次に、エレベータ保全作業管理装置２の動作について説明する。図２は図１のエレベータ保全作業管理装置２の動作を示すフローチャートである。まず、エレベータ保全作業管理装置２は、エレベータ制御装置１から送信されたかご呼びの情報を受信し（受信工程）（ステップＳ１０１）、バッファ２１は、エレベータ制御装置１により登録されたかご呼び情報を記憶する（記憶工程）（ステップＳ１０２）。受信工程および記憶工程は、エレベータの運転中に継続して行われる。
【００２５】
その後、判定装置２２は、バッファ２１に記憶されたかご呼びの情報の中から、現在時刻ｔから所定時間Δｔだけ遡った時までの間に登録されたかご呼びの情報を読み出す（読出工程）（ステップＳ１０３）。
【００２６】
その後、判定装置２２は、上記の式（１）を用いて頻度Ｅ（ｔ）を算出し（ステップＳ１０４）、上記の式（２）を用いて網羅度Ｃ（ｔ）を算出し（ステップＳ１０５）、さらに、上記の式（３）を用いてランダム度Ｒ（ｔ）を算出する（かご呼び状況指標算出工程）（ステップＳ１０６）。
【００２７】
その後、判定装置２２は、頻度Ｅ（ｔ）、網羅度Ｃ（ｔ）およびランダム度Ｒ（ｔ）に基づいて、エレベータの試運転が実施されたか否かを判定する（試運転判定工程）（ステップＳ１０７）。
【００２８】
ステップＳ１０７で、エレベータの試運転が実施されていないと判定装置２２が判定した場合には、そのままエレベータ保全作業管理装置２の動作が終了する。一方、ステップＳ１０７で、エレベータの試運転が実施されたと判定装置２２が判定した場合には、作業時間記録装置２４が現在時刻ｔを記録する（ステップＳ１０８）。なお、ここで、タイマ２３が時間の計測中ではない場合には、タイマ２３による時間の計測が開始され、タイマ２３が時間の計測中である場合には、タイマ２３による時間の計測が終了する。これにより、タイマ２３は、判定装置２２によりエレベータの試運転が実施されたと判定された時から次に判定装置２２によりエレベータの試運転が実施されたと判定される時までの時間を計測する。エレベータの試運転は、保全作業の開始時と終了時との両方において行われるので、タイマ２３により計測される時間は、保全作業時間となる。作業時間記録装置２４は、タイマ２３により計測された時間を保全作業時間として記録する。その後、エレベータ保全作業管理装置２の動作が終了する。
【００２９】
以上説明したように、この発明の実施の形態１に係るエレベータ保全作業管理装置２によれば、エレベータ制御装置１により登録されたかご呼びの情報を記憶するバッファ２１と、バッファ２１に記憶されたかご呼びの情報からかご呼びの状況を示す指標を算出し、算出したかご呼びの状況を示す指標に基づいて、エレベータの試運転が実施されたか否かを判定する判定装置２２とを備えているので、作業者によりエレベータの試運転についての情報が入力されることなく、エレベータの試運転が実施されたか否かを判定することができる。その結果、エレベータの試運転が実施されたことをより確実に管理することができる。
【００３０】
また、判定装置２２は、かご呼びの状況を示す指標として、所定時間内に登録されたかご呼びの回数である頻度を用いるので、作業者がエレベータの試運転を行うために、例えば、かご操作盤の全ての行先階釦を操作した場合に、判定装置２２は、エレベータの試運転が実施されたか否かを判定することができる。
【００３１】
また、判定装置２２は、かご呼びの状況を示す指標として、停止可能階の数に対する所定時間内に登録されたかご呼びにより停止する階の数の割合である網羅度を用いるので、作業者がエレベータの試運転を行うために、例えば、かご操作盤の全ての行先階釦を操作した場合に、判定装置２２は、エレベータの試運転が実施されたか否かを判定することができる。
【００３２】
また、判定装置２２は、かご呼びの状況を示す指標として、所定時間内に登録されたかご呼びのランダム度を用いるので、作業者がエレベータの試運転を行うために、例えば、かご操作盤の全ての行先階釦を操作した場合に、判定装置２２は、エレベータの試運転が実施されたか否かを判定することができる。
【００３３】
また、エレベータ保全作業管理装置２は、判定装置２２によりエレベータの試運転が実施されたと判定された時から次に判定装置２２によりエレベータの試運転が実施されたと判定される時までの時間を計測するタイマ２３と、タイマ２３により計測された時間を保全作業時間として記録する作業時間記録装置２４とをさらに備えているので、作業者がエレベータの試運転についての情報を入力することなく、保全作業時間を記録することができる。
【００３４】
なお、上記実施の形態１では、頻度Ｅ（ｔ）、網羅度Ｃ（ｔ）およびランダム度Ｒ（ｔ）の全てに基づいて、エレベータの試運転が実施されたか否かを判定装置２２が判定する構成について説明したが、頻度Ｅ（ｔ）、網羅度Ｃ（ｔ）およびランダム度Ｒ（ｔ）の中の少なくとも１つに基づいて、エレベータの試運転が実施されたか否かを判定装置２２が判定する構成であればよい。
【００３５】
実施の形態２．
図３はこの発明の実施の形態２に係るエレベータシステムを示すブロック図である。図において、エレベータシステムは、かご内の積載重量を測定する秤装置３をさらに備えている。秤装置３は、かご内の積載重量を測定した場合に、測定したかご内の積載重量の情報をバッファ２１に送信するようになっている。
【００３６】
バッファ２１は、秤装置３から送信されたかご内の積載重量の情報を、エレベータ制御装置１により登録されたかご呼びの情報と対応させて記憶する。
【００３７】
判定装置２２は、エレベータの試運転が実施されたか否かを判定する際に、バッファ２１からかご呼びの情報とともにかご内の積載重量の情報を読み出す。判定装置２２は、読み出したかご内の積載重量の情報から、所定時間内におけるかご内の積載重量の平均値Ｗ（ｔ）を算出する。判定装置２２には、かご内の積載重量の平均値Ｗ(ｔ)と比較するための閾値ＴＷが予め設定されている。閾値ＴＷは、任意の値が設定可能である。
【００３８】
判定装置２２は、実施の形態１と同様に、算出した頻度Ｅ（ｔ）と閾値ＴＥを比較し、算出した網羅度Ｃ（ｔ）とが閾値ＴＣを比較し、算出したランダム度Ｒ（ｔ）と閾値ＴＲとを比較する。さらに、判定装置２２は、かご内の積載重量の平均値Ｗ（ｔ）と閾値ＴＷとを比較する。
【００３９】
判定装置２２は、算出した頻度Ｅ（ｔ）が閾値ＴＥよりも大きく（Ｅ（ｔ）＞ＴＥ）、算出した網羅度Ｃ（ｔ）が閾値ＴＣよりも大きく（Ｃ（ｔ）＞ＴＣ）、算出したランダム度Ｒ（ｔ）が閾値ＴＲよりも小さく（Ｒ（ｔ）＜ＴＲ）、かつ、かご内の積載重量の平均値Ｗ（ｔ）が閾値ＴＷよりも小さい（Ｗ（ｔ）＜ＴＷ）場合に、エレベータの試運転が実施されたと判定する。つまり、判定装置２２は、かご呼びの状況を示す指標と、かご内の積載重量の情報とを組み合わせて、エレベータの試運転が実施されたか否かを判定する。その他の構成は、実施の形態１と同様である。
【００４０】
次に、エレベータ保全作業管理装置２の動作について説明する。図４は図３のエレベータ保全作業管理装置２の動作を示すフローチャートである。まず、エレベータ保全作業管理装置２は、エレベータ制御装置１から送信されたかご呼びの情報および秤装置３から送信されたかご内の積載重量の情報を受信し（受信工程）（ステップＳ２０１）、バッファ２１は、エレベータ制御装置１により登録されたかご呼びの情報およびかご内の積載重量の情報を記憶する（記憶工程）（ステップＳ２０２）。受信工程および記憶工程は、エレベータの運転中に継続して行われる。
【００４１】
その後、判定装置２２は、バッファ２１に記憶されたかご呼びの情報の中から、現在時刻ｔから所定時間Δｔだけ遡った時までの間に登録されたかご呼びの情報を読み出すとともに、バッファ２１に記憶されたかご内の積載重量の情報の中から、読み出したかご呼びの情報に対応するかご内の積載重量の情報をバッファ２１から読み出す（読出工程）（ステップＳ２０３）。
【００４２】
その後、判定装置２２は、かご内の積載重量の平均値Ｗ（ｔ）を算出する（積載重量算出工程）（ステップＳ２０４）。
【００４３】
その後、判定装置２２は、頻度Ｅ（ｔ）を算出し（ステップＳ２０５）、網羅度Ｃ（ｔ）を算出し（ステップＳ２０６）、さらに、ランダム度Ｒ（ｔ）を算出する（かご呼び状況指標算出工程）（ステップＳ２０７）。
【００４４】
その後、判定装置２２は、頻度Ｅ（ｔ）、網羅度Ｃ（ｔ）、ランダム度Ｒ（ｔ）およびかご内の積載重量の平均値Ｗ（ｔ）に基づいて、エレベータの試運転が実施されたか否かを判定する（試運転判定工程）（ステップＳ２０８）。
【００４５】
ステップＳ２０８で、エレベータの試運転が実施されていないと判定装置２２が判定した場合には、そのままエレベータ保全作業管理装置２の動作が終了する。一方、ステップＳ２０８で、エレベータの試運転が実施されたと判定装置２２が判定した場合には、作業時間記録装置２４が現在時刻ｔを記録する（ステップＳ２０９）。なお、実施の形態１と同様に、タイマ２３が時間の計測中ではない場合には、タイマ２３による時間の計測が開始され、タイマ２３が時間の計測中である場合には、タイマ２３による時間の計測が終了する。これにより、タイマ２３は、判定装置２２によりエレベータの試運転が実施されたと判定された時から次に判定装置２２によりエレベータの試運転が実施されたと判定される時までの時間を計測する。作業時間記録装置２４は、タイマ２３により計測された時間を保全作業時間として記録する。その後、エレベータ保全作業管理装置２の動作が終了する。
【００４６】
以上説明したように、この発明の実施の形態２に係るエレベータ保全作業管理装置２によれば、バッファ２１は、かご内の積載重量を測定する秤装置３により測定されたかご内の積載重量の情報をさらに記憶し、判定装置２２は、かご呼びの状況を示す指標と、かご内の積載重量の情報とを組み合わせて、エレベータの試運転が実施されたか否かを判定するので、例えば、多くの利用者がかごに乗車してかご内の積載重量が大きい場合であって、かご操作盤の全ての行先階釦が操作された場合には、判定装置２２は、エレベータの試運転が実施されていないと判定する。その結果、エレベータの試運転が実施されたか否かの判定の精度を向上させることができる。
【００４７】
なお、上記実施の形態２では、頻度Ｅ（ｔ）、網羅度Ｃ（ｔ）、ランダム度Ｒ（ｔ）およびかご内の積載重量の平均値Ｗ（ｔ）の全てに基づいて、エレベータの試運転が実施されたか否かを判定装置２２が判定する構成について説明したが、頻度Ｅ（ｔ）、網羅度Ｃ（ｔ）およびランダム度Ｒ（ｔ）の中の少なくとも１つと、かご内の積載重量の平均値Ｗ（ｔ）とに基づいて、エレベータの試運転が実施されたか否かを判定装置２２が判定する構成であればよい。
【符号の説明】
【００４８】
１  エレベータ制御装置、２  エレベータ保全作業管理装置、３  秤装置、２１  バッファ（記憶装置）、２２  判定装置、２３  タイマ（計時装置）、２４  作業時間記録装置。
【図１】
0005892858.tif 000005
【図２】
0005892858.tif 000006
【図３】
0005892858.tif 000007
【図４】
0005892858.tif 000008